(57)【特許請求の範囲】
【請求項１】
流入口及び流出口を有した流路を有した本体と、該本体の流路内に着脱可能に装着され開口を有したカップ状のスクリーンと、該本体の側壁に設けられ上記スクリーンの出し入れを行なうための出入用孔と、該出入用孔を開閉する蓋とを備え、上記本体の流入口側の流路を形成する側壁内周に、上記スクリーンの装着時に該スクリーンの開口端面が押圧されて密着する受面を有した受部を形成してなるストレーナにおいて、  上記スクリーンの開口縁部に、外側に突出したリング状のフランジを形成し、  上記本体の出入用孔に対向する側壁側に、上記本体の受部の受面に対峙するように突起部を設け、該突起部と該受面が共同して上記スクリーンのフランジが挿入される溝を形成し、該突起部の上記受面側の内壁面は、上記フランジが該溝に挿入されたとき該フランジの裏側外周縁と当接するように、かつ、上記受面と該内壁面との間隔が上記フランジの挿入方向に沿って漸次小さくなるように、傾斜して形成され、  上記フランジが該溝に挿入された状態で、該フランジを上記本体の出入用孔側から該出入用孔に対向する側壁側に押圧し、かつ、該フランジの裏側外周縁を上記突起部の内壁面に摺接させることによって、該フランジの開口端面を上記受面に押圧させる押圧手段を設け、  上記フランジの外側面の一部に、該外側面から上記本体の流入口側かつ外側に向けて傾斜する舌片を突設し、  上記本体の上記出入用孔側の受部であって上記受面の外側に、上記舌片が押圧されて支持される支持面を形成し、  上記押圧手段を、上記舌片を押圧するように構成し、  上記舌片に、雄ネジ部及びボルト頭を有したボルトの当該雄ネジ部が挿通されるボルト穴を形成し、上記支持面に、ボルトの雄ネジ部がねじ込まれる雌ネジ部を形成し、上記押圧手段が、雄ネジ部及びボルト頭を有し上記雄ネジ部を上記ボルト穴に挿通させて上記雌ネジ部にねじ込んで上記ボルト頭により上記舌片を支持面に押圧するボルトを有することを特徴とするストレーナ。
【請求項２】
上記突起部を、上記支持面に対して所定の対称位置に複数設けたことを特徴とする請求項１記載のストレーナ。
【請求項３】
上記スクリーンが、筒体及び該筒体の一方の開口を塞ぐ底板を有する網状部材と、上記フランジを有し、上記網状部材を着脱可能に保持するフレームとを有することを特徴とする請求項１または２記載のストレーナ。
【請求項４】
上記網状部材の筒体と底板とを分離可能にし、  上記フレームが、上記底板を取り外し可能に支える底板用支持面を有したリング状の支持リングと、上記フランジを構成し、上記筒体の開口端部が嵌合する開放口を有したリング状のフランジリングと、上記支持リング及びフランジリングを連結し、上記筒体の収納される空間を形成する複数のリブとを有することを特徴とする請求項３記載のストレーナ。
【請求項５】
上記筒体の外径をａ、底板の外径をｂ、フランジリングの開放口の内径をｃとしたとき、ａ＜ｃ＜ｂに設定し、上記底板を上記リブ間から挿入して上記支持リングの底板用支持面に装着可能に上記リブを設けたことを特徴とする請求項４記載のストレーナ。
【請求項６】
流入口及び流出口を有した流路を有した本体と、該本体の流路内に着脱可能に装着され開口を有したカップ状のスクリーンと、該本体の側壁に設けられ上記スクリーンの出し入れを行なうための出入用孔と、該出入用孔を開閉する蓋とを備え、上記本体の流入口側の流路を形成する側壁内周に、上記スクリーンの装着時に該スクリーンの開口端面が押圧されて密着する受面を有した受部を形成してなるストレーナにおいて、  上記スクリーンの開口縁部に、外側に突出したリング状のフランジを形成し、  上記本体の出入用孔に対向する側壁側に、上記本体の受部の受面に対峙するように突起部を設け、該突起部と該受面が共同して上記スクリーンのフランジが挿入される溝を形成し、該突起部の上記受面側の内壁面は、上記フランジが該溝に挿入されたとき該フランジの裏側外周縁と当接するように、かつ、上記受面と該内壁面との間隔が上記フランジの挿入方向に沿って漸次小さくなるように、傾斜して形成され、  上記フランジが該溝に挿入された状態で、該フランジを上記本体の出入用孔側から該出入用孔に対向する側壁側に押圧し、かつ、該フランジの裏側外周縁を上記突起部の内壁面に摺接させることによって、該フランジの開口端面を上記受面に押圧させる押圧手段を設け、  上記スクリーンが、筒体及び該筒体の一方の開口を塞ぐ底板を有する網状部材と、上記フランジを有し、上記網状部材を着脱可能に保持するフレームとを有し、  上記網状部材の筒体と底板とを分離可能にし、  上記フレームが、上記底板を取り外し可能に支える底板用支持面を有したリング状の支持リングと、上記フランジを構成し、上記筒体の開口端部が嵌合する開放口を有したリング状のフランジリングと、上記支持リング及びフランジリングを連結し、上記筒体の収納される空間を形成する複数のリブとを有し、  上記筒体の外径をａ、底板の外径をｂ、フランジリングの開放口の内径をｃとしたとき、ａ＜ｃ＜ｂに設定し、上記底板を上記リブ間から挿入して上記支持リングの底板用支持面に装着可能に上記リブを設けたことを特徴とするストレーナ。
【請求項７】
上記フランジの外側面の一部に、該外側面から上記本体の流入口側かつ外側に向けて傾斜する舌片を突設し、  上記本体の上記出入用孔側の受部であって上記受面の外側に、上記舌片が押圧されて支持される支持面を形成し、  上記押圧手段を、上記舌片を押圧するように構成したことを特徴する請求項６記載のストレーナ。
【請求項８】
上記突起部を、上記支持面に対して所定の対称位置に複数設けたことを特徴とする請求項７記載のストレーナ。
【請求項９】
上記押圧手段が、上記蓋の内側に設けられ、上記出入用孔の閉時に上記舌片を支持面に対して押圧する弾性部材を有することを特徴とする請求項７または８記載のストレーナ。
【発明の詳細な説明】
【技術分野】
【０００１】
本発明は、水，油等の流体の流れる管路において、この流体内に含まれるゴミ等の異物を濾過するスクリーンを備えたストレーナに関し、特に、ゴミ等の異物がスクリーンの開口の外側から逃げることなく確実に捕獲できるようにしたストレーナに関する。
【背景技術】
【０００２】
従来、この種のストレーナとしては、例えば、本願出願人が先に提案したものが知られている（特許第４２７２９０７号公報に掲載）。図７に示すように、このストレーナＳａは、流入口２０１及び流出口２０２を有した流路を有した本体２００と、本体２００の流路内に着脱可能に装着され開口２１１を有したカップ状のスクリーン２１０とを備えている。本体２００は、その流路を直線状とする管体で形成されており、側壁にはスクリーン２１０の出し入れを行なうための出入用孔２０３が形成されている。また、流入口２０１側の流路を形成する側壁内周には、受面２０４を有した受部２０５が形成されている。スクリーン２１０の装着時に、スクリーン２１０の開口端面２１２は、受面２０４に押圧され、受面２０４と密着する。また、流路を形成する内壁には、本体２００の軸線と挿入時のスクリーン２１０の軸線とが同軸になるようにスクリーン２１０を支持してガイドするガイド突起２０６が設けられている。このガイド突起２０６のスクリーン２１０と当接する当接面は、スクリーン２１０の外周面に対応する円周面（湾曲した面）である。また、出入用孔２０３は蓋２０７により開閉される。【０００３】
また、このストレーナＳａは、スクリーン２１０の開口端面２１２を本体２００の受面２０４に押圧する押圧手段２２０を備えている。この押圧手段２２０は、雌ネジ部２２１、ボルト２２４、円錐台部２２５、及び、押圧部材２２６を備えている。雌ネジ部２２１は、本体２００の流路を形成する内壁であってスクリーン２１０の底部２１３よりも流出口２０２側に設けられる。ボルト２２４は、一端側２２４ａに雌ネジ部２２１に螺合される雄ネジ部２２２を有するとともに、他端側２２４ｂに締め付け具により回転させられるボルト頭２２３を有している。円錐台部２２５は、ボルト２２４に同軸に設けられ、ボルト２２４の他端側２２４ｂに向けて末広がりの形状を有している。押圧部材２２６は、円錐台部２２５の円錐面２２５ａに当接するテーパ面２２６ａを有し、ボルト２２４の雌ネジ部２２１に対するねじ込みにより、スクリーン２１０の開口端面２１２を本体２００の受面２０４に押圧する。また、押圧部材２２６は、リング状に形成されており、スクリーン２１０の底部２１３に固着されている。【０００４】
スクリーン２１０を本体２００に装着するときは、まず、蓋２０７を取り外して出入用孔２０３を開にする。次に、スクリーン２１０を出入用孔２０３から本体２００内に入れてガイド突起２０６に載置し、スクリーン２１０の開口端部２１２を本体２００の受面２０４に対峙させる。それから、押圧手段２２０によりスクリーン２１０の開口端面２１２を本体２００の受面２０４に押圧する。詳しくは、ボルト２２４の雄ネジ部２２２を本体２００の雌ネジ部２２１に螺合し、ボルト２２４のボルト頭２２３を締め付け具で回転させて、ボルト２２４を本体２００にねじ込む。この際、円錐台部２２５の円錐面２２５ａは、押圧部材２２６に設けられたテーパ面２２６ａを徐々に押し下げ、押圧部材２２６は、スクリーン２１０の底部２１３に固着されており、また、スクリーン２１０は、ガイド突起２０６に載置されている。したがって、スクリーン２１０は、ボルト２２４の軸方向に移動せず、ガイド突起２０６の当接面に沿って流入口２０１側に進み、スクリーン２１０の開口端面２１２は、本体２００の受部２０５の受面２０４に密着する。その後、蓋２０７を出入用孔２０３に被せて、出入用孔２０３を閉にする。【０００５】
このようにスクリーン２１０が装着されたストレーナＳａに流入口２０１から流体が流入すると、この流体に混在する異物は、スクリーン２１０で濾過され、異物の混在しない流体が、流出口２０２から流出する。この場合、スクリーン２１０の開口端面２１２が本体２００の受部２０５の受面２０４に密着しているので、ゴミ等の異物は、開口端面２１２と受面２０４との間を通り抜けることができない。したがって、ストレーナＳａは、ゴミ等の異物を確実にスクリーン２１０で捕獲することができる。【０００６】
また、従来、この種のタイプのストレーナとしては、図示しないが、上記のストレーナを改良したストレーナもある。この改良したストレーナは、本願出願人が先に提案した特許文献２（特開２００６−７６１号公報）に記載されている。
【先行技術文献】
【特許文献】
【０００７】
【特許文献１】特許第４２７２９０７号公報
【特許文献２】特開２００６−７６１号公報
【発明の概要】
【発明が解決しようとする課題】
【０００８】
しかしながら、この従来のストレーナＳａにおいては、本体２００内にボルト２２４を挿通し、スクリーン２１０の底部２１３よりも流出口２０２側に設けられた雌ネジ部２２１にボルト２２４をねじ込んで、このボルト２２４でスクリーン２１０の底部２１３を押してスクリーン２１０を本体２００に装着している。すなわち、押圧手段２２０が比較的複雑で大型の構造となるので、それだけ、ストレーナＳａ全体も大型化してしまうという問題があった。また、押圧手段２２０が比較的複雑で大型の構造となることから、この押圧手段２２０を小型のストレーナに適用することができず、それだけ、汎用性が悪いという問題もあった。【０００９】
本発明は、このような問題点に鑑みてなされたもので、押圧手段の構造を簡単且つ小型にしてストレーナを小型化するとともに、押圧手段を小型のストレーナに適用可能にして汎用性の向上を図ったストレーナを提供することを目的とする。
【課題を解決するための手段】
【００１０】
このような目的を達成するため、本発明のストレーナは、流入口及び流出口を有した流路を有した本体と、該本体の流路内に着脱可能に装着され開口を有したカップ状のスクリーンと、該本体の側壁に設けられ上記スクリーンの出し入れを行なうための出入用孔と、該出入用孔を開閉する蓋とを備え、上記本体の流入口側の流路を形成する側壁内周に、上記スクリーンの装着時に該スクリーンの開口端面が押圧されて密着する受面を有した受部を形成してなるストレーナにおいて、上記スクリーンの開口縁部に、外側に突出したリング状のフランジを形成し、上記本体の出入用孔に対向する側壁側に、上記本体の受部の受面に対峙するように突起部を設け、該突起部と該受面が共同して上記スクリーンのフランジが挿入される溝を形成し、該突起部の上記受面側の内壁面は、上記フランジが該溝に挿入されたとき該フランジの裏側外周縁と当接するように、かつ、上記受面と該内壁面との間隔が上記フランジの挿入方向に沿って漸次小さくなるように、傾斜して形成され、上記フランジが該溝に挿入された状態で、該フランジを上記本体の出入用孔側から該出入用孔に対向する側壁側に押圧し、かつ、該フランジの裏側外周縁を上記突起部の内壁面に摺接させることによって、該フランジの開口端面を上記受面に押圧させる押圧手段を設けた構成としている。【００１１】
スクリーンを装着するときは、スクリーンを出入用孔から流路内に入れ、スクリーンのフランジを溝に挿入し、その後、押圧手段によりフランジは、本体の出入用孔側から出入用孔に対向する側壁側に押される。
これにより、フランジの裏側外周縁が突起部の内壁面に摺接した状態で、フランジは、溝に入り込み、流入口側への外力を受ける。すなわち、この内壁面からの力によって、フランジの開口端面は、受面に押し当てられ、受面と密着することができる。【００１２】
この場合、突起部の内壁面を利用することにより、フランジの出入用孔側の部分を押圧することによって、スクリーンを装着できる。すなわち、従来の押圧手段（図７の押圧手段２２０）が、スクリーンの底部を押すような複雑で大型の構造であったのに対し、本発明では、押圧手段の構造を簡単に且つ小型にすることができるので、ストレーナを小型化することができる。さらに、スクリーンの装着を確実にする押圧手段を、小型のストレーナに容易に適用することができるので、汎用性を大幅に向上させることができる。【００１３】
そして、必要に応じ、上記フランジの外側面の一部に、該外側面から上記本体の流入口側かつ外側に向けて傾斜する舌片（被押圧部とも呼ばれる。）を突設し、上記本体の上記出入用孔側の受部であって上記受面の外側に、上記舌片が押圧されて支持される支持面を形成し、上記押圧手段を、上記舌片を押圧するように構成している。【００１４】
スクリーンを装着するときは、スクリーンの舌片のある側を本体の出入用孔側に位置させて、スクリーンの舌片のある側とは反対側のフランジの部分を溝に挿入する。続いて、この舌片を支持面に支持し、その後、押圧手段により舌片を、流入口側かつ内側に傾斜した方向に押圧する。
この舌片の押圧力は、舌片がフランジの外側面から本体の流入口側かつ外側に向けて傾斜しているので、フランジの開口端面の出入用孔側の部分を受面に押圧する軸方向の分力と、フランジを本体の出入用孔側から出入用孔に対向する側壁側に押圧する軸方向に直交する方向の分力とを有している。この軸方向に直交する方向の分力は、フランジの裏側外周縁を突起部の内壁面に摺接させ、この内壁面からの力によって、フランジの開口端面の出入用孔側とは反対側の部分を受面に押圧する。即ち、軸方向の分力及び内壁面からの力によって、フランジをその円周の両側から受面に押圧することができるので、押圧力が均等に作用する。したがって、フランジの開口端面は、受面と好適的に密着することができ、フランジの押さえが確実に行なわれる。【００１５】
また、必要に応じ、上記突起部を、上記支持面に対して所定の対称位置に複数設けた構成としている。
これにより、フランジを舌片のある部位を含むその円周の３箇所以上の箇所から受面に押圧し、しかも、突起部は支持面に対して所定の対称位置に位置することから、より一層、押圧力が均等に作用することになり、フランジの押さえがさらに確実に行なわれる。
なお、所定の対称位置として、たとえば、舌片のある部位を０°としたとき、第一の突起部を１２０（＝１８０−α（＝６０））°の位置に設け、第二の突起部を２４０（＝１８０＋α（＝６０））°の位置に設ける場合が挙げられる。また、上記のαは、６０°に限定されるものではない。【００１６】
更に、必要に応じ、  上記舌片に、雄ネジ部及びボルト頭を有したボルトの当該雄ネジ部が挿通されるボルト穴を形成し、上記支持面に、ボルトの雄ネジ部がねじ込まれる雌ネジ部を形成し、上記押圧手段が、雄ネジ部及びボルト頭を有し上記雄ネジ部を上記ボルト穴に挿通させて上記雌ネジ部にねじ込んで上記ボルト頭により上記舌片を支持面に押圧するボルトを有する構成している。【００１７】
これにより、ボルトという簡易な要素を用いて押圧手段を構成できる。すなわち、従来の押圧手段（図７の押圧手段２２０）が、スクリーンの底部を押すような複雑で大型の構造であったのに対し、本発明では、押圧手段の構造を簡単に且つ小型にすることができるので、ストレーナを小型化することができる。さらに、スクリーンの装着を確実にする押圧手段を、小型のストレーナに容易に適用することができるので、汎用性を大幅に向上させることができる。【００１８】
更にまた、必要に応じ、上記押圧手段が、上記蓋の内側に設けられ、上記出入用孔の閉時に上記舌片を支持面に対して押圧する弾性部材を有する構成している。弾性部材としては、例えば、ゴムや板バネ等のスプリングを採用することができる。
これにより、蓋に設けた弾性部材という簡易な要素を用いてで押圧手段を構成できるので、上記のボルトを用いた場合とほぼ同様の効果を得ることができる。【００１９】
そして、また、必要に応じ、上記スクリーンが、筒体及び該筒体の一方の開口を塞ぐ底板を有する網状部材と、上記フランジを有し、上記網状部材を着脱可能に保持するフレームとを有する構成している。
これにより、網状部材とフレームとを別体に形成し、フレームにフランジを形成したので、フランジを例えば金属の鋳物製とすることができる。すなわち、フランジの形成が容易になるので、スクリーンの製造が極めて容易になる。【００２０】
更に、必要に応じ、  上記網状部材の筒体と底板とを分離可能にし、  上記フレームが、上記底板を取り外し可能に支える底板用支持面を有したリング状の支持リングと、上記フランジを構成し、上記筒体の開口端部が嵌合する開放口を有したリング状のフランジリングと、上記支持リング及びフランジリングを連結し、上記筒体の収納される空間を形成する複数のリブとを有する構成している。
これにより、網状部材を筒体と底板とを分離可能にしたので、網状部材の掃除が極めて容易になる。また、フレームを支持リング，フランジリング及び複数のリブで構成しているので、網状部材がフレームから露出する面積が大きくなる。したがって、スクリーンで濾過した流体を円滑に流出させることができる。【００２１】
更にまた、必要に応じ、上記筒体の外径をａ、底板の外径をｂ、フランジリングの開放口の内径をｃとしたとき、ａ＜ｃ＜ｂに設定し、上記底板を上記リブ間から挿入して上記支持リングの底板用支持面に装着可能に上記リブを設けた構成としている。【００２２】
網状部材をフレームに挿入するときは、底板をリブとリブの間からフレーム内に挿入して支持リングの底板用支持面に装着させ、その後、筒体をフランジリングの開放口からフレーム内に挿入して底板に接するまで押し込むことにより行なう。
このように底板の外径が筒体の外径よりも大きく形成されているので、筒体で底板を押さえることができる。すなわち、底板を筒体と支持リングとで挾持することができるので、底板を確実に保持することができる。また、筒体の外径は、その開口端部がフランジリングの開放口に嵌合する大きさとしてあるので、フランジリングによって筒体は確実に保持されることができる。
【発明の効果】
【００２３】
本発明のストレーナによれば、押圧手段の構造を簡単に且つ小型にすることができるので、ストレーナを小型化することができる。さらに、スクリーンの装着を確実にする押圧手段を、小型のストレーナに容易に適用することができるので、汎用性を大幅に向上させることができる。
【図面の簡単な説明】
【００２４】
【図１】本発明の実施の形態に係るストレーナを示す分解斜視図である。
【図２】本発明の実施の形態に係るストレーナを、スクリーンを本体に入れるときの工程とともに示す側面断面図である。
【図３】本発明の実施の形態に係るストレーナを、スクリーンを本体に入れた状態で示す側面断面図である。
【図４】本発明の実施の形態に係るストレーナを、蓋を被せた組み付け状態で示す側面断面図である。
【図５】本発明の実施の形態に係るストレーナを、蓋を被せた組み付け状態で示す一部正面断面図である。
【図６】本発明の別の実施の形態に係るストレーナを示す側面断面図である。
【図７】従来のストレーナの一例を示す図である。
【発明を実施するための形態】
【００２５】
以下、添付図面に基づいて本発明の実施の形態に係るストレーナを説明する。
図１乃至図５には、本発明の実施の形態に係るストレーナＳを示している。
このストレーナＳは、流入口２及び流出口３を有した流路を有した本体１と、本体１の流路内に着脱可能に装着され開口を有したカップ状のスクリーン５０とを備えている。このスクリーン５０は、後で詳述するが、その開口縁部５０ａに、外側に突出したリング状のフランジ７３を有している。また、このフランジ７３は、外側面の一部に、該外側面から本体１の流入口側かつ外側に向けて傾斜する舌片８０が突設されている。この舌片８０は、通常、ほぼ矩形状の平板である。
【００２６】
本体１は、その流路を直線状とする管体であり、金属の鋳物で形成されている。この本体１の流入口２及び流出口３には、夫々、流体が流れる他の管体（図示せず）に本体１を取り付けるための雌ネジ４が形成されている。また、この本体１の側壁には、スクリーン５０の出し入れを行なうための出入用孔１０が設けられている。この出入用孔１０は円形状に形成されており、出入用孔１０の周縁には、周縁から外側に突出した出入用孔縁部１１が設けられている。
【００２７】
また、本発明のストレーナＳは、本体１の出入用孔１０を開閉する蓋５が設けられている。この蓋５は、本体１と同様の金属の鋳物で形成されており、出入用孔縁部１１の当接面７と対応する形状を有している。また、出入用孔縁部１１には、蓋５を固定するための雌ネジ１１ａが、等間隔で配置された４箇所に形成され、蓋５には雌ネジ１１ａに対応する位置に孔５ａが形成されている。この孔５ａにボルト頭６ａのあるボルト６を挿通し、雌ネジ１１ａにボルト６を締め付けることにより、蓋５は固定される。また、蓋５と本体１との間にはリング状のパッキン８が介装されている。このパッキン８は、出入用孔１０の開口縁に形成された段部１０ａに嵌合して設けられている。
【００２８】
また、本体１の流入口２側の流路を形成する側壁内周には、スクリーン５０の装着時にスクリーン５０の開口端面７４ｃが押圧されて密着する受面２１を有した受部２０が形成されている。更に、本体１の出入用孔１０側の受部２０であって受面２１の外側には、スクリーン５０の舌片８０が押圧されて支持される支持面３０が形成されている。この支持面３０は、傾斜した舌片８０と対向するように（すなわち、流入口２側から見て、本体１の流出口３側かつ内側に向けて傾斜するように）、形成されている。また、この支持面３０の中心部には、後述の押圧手段９０としてのボルト９１の雄ネジ部９１ａがねじ込まれる雌ネジ部３１が形成されている。
【００２９】
更に、本体１の出入用孔１０に対向する側壁側に、本体１の受部２０の受面２１に対峙するように突起部４０を設けてある。突起部４０と受面２１は、共同してスクリーン５０のフランジ７３が挿入される溝４１を形成する。この突起部４０は、その受面２１側の内壁面４０ａが、スクリーン５０のフランジ７３が溝４１に挿入されたときフランジ７３の裏側外周縁７３ａと当接するように、かつ、受面２１と内壁面４０ａとの間隔がフランジ７３の挿入方向に沿って漸次小さくなるように、傾斜して形成されている。また、本実施形態では、一対の突起部４０が、図５に示すように、支持面３０に対して所定の対称位置に（すなわち、支持面３０を通る仮想垂線に対して左右対称位置に）設けられている。
【００３０】
次に、スクリーン５０について詳述する。このスクリーン５０は、本体１の流路内に着脱可能に装着され開口６１ｂを有したカップ状に形成されている。また、スクリーン５０は、筒体６１及び筒体６１の一方の開口６１ａを塞ぐ底板６２を有する網状部材６０と、フランジ７３を有し、網状部材６０を着脱可能に保持するフレーム７０とを備えて構成されている。
【００３１】
網状部材６０は、例えば、ステンレス等の金属で形成されており、その円筒状の筒体６１と円板状の底板６２とが分離可能に形成されている。また、筒体６１及び底板６２には、図示しないが、小孔が多数設けられており、流路を流れる流体はこの小孔を通過する。更に、網状部材６０の内側には、流路を流れる流体に含まれるゴミ等の異物を濾過して分離するネット（図示せず）が備えられている。このネット（図示せず）は、例えば、１００メッシュ（１インチ四方に、１×１０４個の目を持つもの）以上であり、かつ、目の開きが０．１５ｍｍ以下のものが使用される。網状部材６０を筒体６１と底板６２とを分離可能にしたので、網状部材６０の掃除が極めて容易になる。
【００３２】
フレーム７０は、底板６２を取り外し可能に支持する底板用支持面７１を有したリング状の支持リング７２と、フランジ７３を構成し、筒体６１の他方の開口６１ｂの開口端部６１ｃが嵌合する開放口７４ａを有したリング状のフランジリング７４と、支持リング７２及びフランジリング７４を連結し、筒体６１の収納される空間を形成する複数のリブ７５（実施の形態では４本）とを備えている。この支持リング７２，フランジリング７４及び複数のリブ７５は、ステンレス製の鋳物であり、一体形成されている。網状部材６０とフレーム７０とを別体に形成し、フレーム７０にフランジ７３を形成し、フランジ７３を金属の鋳物製としてある。これにより、フランジ７３の形成が容易になり、したがって、スクリーン５０の製造が極めて容易になる。
【００３３】
フランジリング７４は、その外側面７４ｂの一部に、外側面７４ｂから本体１の流入口２側かつ外側に向けて傾斜する舌片８０が突設されている。この舌片８０には、支持面３０にねじ込まれる後述の押圧手段９０としてのボルト９１の雄ネジ部９１ａが挿通されるボルト穴８１が形成されている。
【００３４】
また、このスクリーン５０は、筒体６１の外径をａ、底板６２の外径をｂ、フランジリング７４の開放口の内径をｃとしたとき、ａ＜ｃ＜ｂに設定されており、底板６２をリブ７５間から挿入して支持リング７２の底板用支持面７１に装着可能になるようにリブ７５が設けられている。
【００３５】
また、本実施の形態に係るストレーナＳは、スクリーン５０のフランジ７３を押圧する（あるいは、スクリーン５０のフランジ７３を、所定の方向（流出口３側から見て、本体１の流入口２側かつ内側に向けて傾斜する方向）に押した状態で保持する、ということもできる。）押圧手段９０を備えている。この押圧手段９０は、スクリーン５０のフランジ７３が溝４１に挿入された状態で、フランジ７３を本体１の出入用孔１０側から出入用孔１０に対向する側壁側に押圧し、かつ、フランジ７３の裏側外周縁７３ａを突起部４０の内壁面４０ａに摺接させることによって、フランジ７３の開口端面７４ｃを受面２１に押圧させるものである。
【００３６】
この押圧手段９０は、所定の方向（流出口３側から見て、本体１の流入口２側かつ内側に向けて傾斜する方向）に舌片８０を押圧するボルト９１で構成されている。このボルト９１は、雄ネジ部９１ａ及びボルト頭９１ｂを有しており、雄ネジ部９１ａを舌片８０のボルト穴８１に挿通させて支持面３０の雌ネジ部３１にねじ込んでボルト頭９１ｂにより舌片８０を支持面３０に押圧するものである。
また、舌片８０の支持面３０と当接する当接面８２側には、ボルト穴８１に挿通されたボルト９１がボルト穴８１から抜けないようにするためのＵ字状の抜け止め部材９２が設けられており、この抜け止め部材９２によりボルト９１は舌片８０に付帯させられている。
なお、図３に示すように、抜け止め部材９２（抜け止め部材９２を設けない場合は、舌片８０の当接面８２）は、支持面３０と当接しなくてもよく、ボルト９１は、スクリーン５０のフランジ７３を、所定の方向（流出口３側から見て、本体１の流入口２側かつ内側に向けて傾斜する方向）に押した状態で保持できればよい。
【００３７】
従って、この実施の形態に係るストレーナＳにおいて、スクリーン５０を本体１に装着するときは、以下のようにする。
先ず、網状部材６０をフレーム７０に取り付け、スクリーン５０を組み立てる。詳しくは、底板６２をリブ７５とリブ７５の間からフレーム７０内に挿入して支持リング７２の底板用支持面７１に装着し、その後、筒体６１をフランジリング７４の開放口７４ａからフレーム７０内に挿入して底板６２に接するまで押し込む。これにより、底板６２の外径が筒体６１の外径よりも大きく形成されているので、筒体６１で底板６２を押さえることができる。すなわち、底板６２を筒体６１と支持リング７２とで挾持することができるので、底板６２を確実に保持することができる。また、筒体６１の外径は、その開口端部６１ｃがフランジリング７４の開放口７４ａに嵌合する大きさに形成されているので、フランジリング７４によって筒体６１を確実に保持することができる。
【００３８】
次に、蓋５を取り外して出入用孔１０を開にし、組み立てたスクリーン５０を出入用孔１０から流路内に入れる。この際、スクリーン５０の舌片８０のある側を本体１の出入用孔１０側に位置させて、スクリーン５０の舌片８０のある側とは反対側のフランジ７３を溝４１に挿入しながら、舌片８０を支持面３０に接近させる。
【００３９】
続いて、押圧手段９０により舌片８０を押圧してフランジ７３を本体１の出入用孔１０側から出入用孔１０に対向する側壁側に押圧する。詳しくは、ボルト９１のボルト頭９１ｂを締め付け具で回転させ、雄ネジ部９１ａを支持面３０の雌ネジ部３１に締め込み、ボルト頭９１ｂにより舌片８０を支持面３０に押圧する。
ここで、舌片８０は、フランジリング７４の外側面７４ｂから本体１の流入口２側かつ外側に向けて傾斜しているので、この舌片８０の押圧力Ｗ（図３参照）により、フランジリング７４の開口端面７４ｃの出入用孔１０側の部分を受面２１に押圧する軸方向の分力Ｗａと、フランジリング７４を本体１の出入用孔１０側から出入用孔１０に対向する側壁側に押圧する軸方向に直交する方向の分力Ｗｂとが生じる。
この軸方向に直交する方向の分力Ｗｂは、フランジ７３の裏側外周縁７３ａを突起部４０の内壁面４０ａに摺接させ、この内壁面４０ａからの力によって、フランジリング７４の開口端面７４ｃの出入用孔１０側とは反対側の部分を受面２１に押圧することができる。これにより、フランジ７３の裏側外周縁７３ａが突起部４０の内壁面４０ａに摺接した状態で、フランジ７３は、溝４１に入り込み、流入口２側への外力を受ける。すなわち、二箇所に設けられた内壁面４０ａからの力によって、フランジ７４の開口端面７４ｃは、受面２１に押し当てられ、受面２１と密着することができる。すなわち、フランジ７３をその円周の両側から受面２１に押圧することができるので、押圧力が均等に作用し、そのため、フランジ７３の押さえが確実に行なわれる。
【００４０】
また、上述したように、軸方向の分力Ｗａにより、フランジリング７４の開口端面７４ｃの出入用孔１０側の部分は、受面２１に押し当てられ、受面２１と密着している。
このように、実施の形態に係るストレーナＳは、フランジ７３を舌片８０のある部位を含むその円周の３箇所から受面２１に押圧する。しかも、突起部４０は支持面３０に対して所定の対称位置に位置することから、より一層、押圧力が均等に作用することになり、フランジ７３の押さえ（密着性を維持した状態の押さえ）が確実に行なわれる。
【００４１】
この場合、突起部４０の内壁面４０ａを利用して、フランジ７３の出入用孔１０側を押圧し、スクリーン５０を装着でき、また、押圧手段９０として、ボルト９１という簡易な要素を用いている。したがって、従来の押圧手段（図７の押圧手段２２０）が、スクリーン２１０の底部を押すような複雑で大型の構造であったのに対し、本発明では、押圧手段９０の構造を簡単に且つ小型にすることができるので、ストレーナＳを小型化することができる。さらに、スクリーン５０の装着を確実にする押圧手段９０を、小型のストレーナＳに容易に適用することができるので、汎用性を大幅に向上させることができる。
【００４２】
その後、蓋５を出入用孔１０に被せて出入用孔１０を閉にする。
このようにスクリーン５０が装着されたストレーナＳに、流入口２から流体が流入すると、この流体に混在する異物がスクリーン５０で濾過されて流出口３から流出するようになる。この場合、フレーム７０を、支持リング７２，フランジリング７４及び複数のリブ７５で構成しているので、網状部材６０がフレーム７０から露出する面積が大きくなる。したがって、スクリーン５０で濾過した流体を円滑に流出させることができる。また、スクリーン５０の開口端面７４ｃが本体１の受部２０の受面２１に密着しているので、ゴミ等の異物は、開口端面７４ｃと受面２１との間を通り抜けることができない。したがって、ストレーナＳは、ゴミ等の異物を確実にスクリーン５０で捕獲することができる。
【００４３】
図６には、本発明の別の実施の形態に係るストレーナＳを示している。このストレーナＳは、上記の実施の形態と略同様に構成されるが、上記の実施の形態とは押圧手段９０などの構成が異なっている。
この押圧手段９０は、蓋５の内側に設けられ、出入用孔１０の閉時に舌片８０を支持面３０に対して押圧する弾性部材（本実施形態では、板バネ９３）を有する構成としてある。板バネ９３は、その一端が、ボルト９４で蓋５の裏面に固定され、他端が、スクリーン５０の舌片８０の上面に当接するように、折り曲げられている。この板バネ９３は、スクリーン５０の舌片８０の上面に、弾性力を所定の方向（上述した押圧力Ｗが作用する方向）に作用させた状態で接触している。尚、弾性部材としては、例えば、ゴムやコイルスプリングを採用することができる。
【００４４】
このストレーナＳにおいて、スクリーン５０を本体１に装着するときは、蓋５を取り外して出入用孔１０を開にし、スクリーン５０を出入用孔１０から流路内に入れる。この際、スクリーン５０の舌片８０のある側を本体１の出入用孔１０側に位置させて、スクリーン５０の舌片８０のある側とは反対側のフランジ７３を溝４１に挿入しながら、この舌片８０を支持面３０に接近させる。その後、蓋５を出入用孔１０に被せて出入用孔１０を閉にする。このとき、蓋５の内側に設けられた弾性部材としての板バネ９３により、舌片８０が支持面３０に押圧される。この舌片８０の押圧により（上述した押圧力Ｗとほぼ同様の弾性力が作用することにより）、フランジ７３が本体１の出入用孔１０側から出入用孔１０に対向する側壁側に押圧される。
【００４５】
この場合、押圧手段９０として、蓋５に設けた板バネ９３という簡易な要素を用いている。したがって、従来の押圧手段（図７の押圧手段２２０）が、スクリーン２１０の底部を押すような複雑で大型の構造であったのに対し、本発明では、押圧手段９０の構造を簡単に且つ小型にすることができるので、ストレーナＳを小型化することができる。さらに、スクリーン５０の装着を確実にする押圧手段９０を、小型のストレーナＳに容易に適用することができるので、汎用性を大幅に向上させることができる。なお、その他の作用，効果は上記の実施の形態と同様である。
【００４６】
尚、上記実施の形態において、ネットを１００メッシュ以上で目の開きが０．１５ｍｍ以下のものを使用したが、必ずしもこれに限定されるものではなく、流路を流れる流体に含まれるゴミ等の異物を濾過して分離できれば良く、適宜変更して差支えない。
また、突起部４０の周方向長さ，大きさや数は上述したものに限定されるものではなく、適宜変更して差支えない。
【００４７】
上記に本発明の実施の形態を幾つか詳細に説明したが、当業者は、本発明の新規な教示及び効果から実質的に離れることなく、これら例示である実施の形態に多くの変更を加えることが容易である。従って、これらの多くの変更は本発明の範囲に含まれる。
この明細書に記載の文献の内容を全てここに援用する。
【図１】
0005487113.tif 000002
【図２】
0005487113.tif 000003
【図３】
0005487113.tif 000004
【図４】
0005487113.tif 000005
【図５】
0005487113.tif 000006
【図６】
0005487113.tif 000007
【図７】
0005487113.tif 000008